(57)【要約】【課題】効果音と台詞とを聞き取りやすくする。【解決手段】左レジスタ／バッファ２３と左Ｄ／Ａコンバータ２６と左音量調整器２９および左パワーアンプ３２が、左の中高音スピーカ１１の信号路を構成し、右レジスタ／バッファ２４と右Ｄ／Ａコンバータ２７と右音量調整器３０および右パワーアンプ３３が、右の中高音スピーカ１１の信号路を構成し、台詞レジスタ／バッファ２５と台詞Ｄ／Ａコンバータ２８と台詞音量調整器３１および台詞パワーアンプ３４が台詞スピーカ１２の信号路を構成するというように、左右の中高音スピーカ１１の信号路と台詞スピーカ１２の信号路とが互いに独立して構成されている。【選択図】図１
2008237837.tif 000002
【特許請求の範囲】
【請求項１】
遊技機枠の前部に中高音放音孔部および台詞放音孔部を設け、中高音放音孔部から遊技機枠の前方に中高音を放出する中高音スピーカおよび台詞放音孔部から遊技機枠の前方に台詞を放出する台詞スピーカを遊技機枠に設け、中高音スピーカおよび台詞スピーカを制御する音制御装置には中高音スピーカの信号路と台詞スピーカの信号路とが独立して構成されたことを特徴とする遊技音響装置。
【請求項２】
遊技機枠の前部には窓と窓を後側から塞ぐパネル構造体と左右一対の中高音放音孔部と左右一対の中高音スピーカと台詞放音孔部と低音放音孔部とが設けられ、左右一対の中高音スピーカから放出された中高音が左右一対の中高音放音孔部を個別に経由して遊技機枠の前方に放出され、台詞放音孔部が左右一対の中高音放音孔部の間に配置され、台詞スピーカから放出された台詞が遊技機枠の前方に放出し、パネル構造体が前パネルと後パネルとフレームとで囲まれた閉鎖空間を形成し、フレームには閉鎖空間に連なる筒状のスピーカ設置部と閉鎖空間に連なる音出口部とが設けられ、低音スピーカが振動板を前方に向けてスピーカ設置部に取り付けられ、低音スピーカの振動板から前方に放射された低音がスピーカ設置部から閉鎖空間と音出口部および低音放音孔部を経由して遊技機枠の前側に放出され、音制御装置には、中高音スピーカの信号路と台詞スピーカの信号路とが独立して構成され、かつ、前パネルと後パネルとの共振によって発生する音圧のピークを低減若しくは遮断するローパスフィルタと、前パネルと後パネルとの共振によって発生する音圧のディップを上昇するようにローパスフィルタからの出力信号の電圧レベルを上昇して低音スピーカに供給するレベル調整器とが設けられたことを特徴とする遊技音響装置。
【発明の詳細な説明】
【技術分野】
【０００１】
本発明は、効果音と台詞とが聞き取りやすい遊技音響装置に関する。
【背景技術】
【０００２】
遊技音響装置には、図６に示すように、遊技機枠１の前上部に左右一対の中高音放音孔部８および左右一対の中高音スピーカ１１を設け、遊技機枠１の前下部に低音放音孔部１０および低音スピーカ１４を設け、中高音スピーカ１１から放音された中高音を中高音放音孔部８を経由して遊技機枠１の前側に放音し、低音スピーカ１４から放音された低音を低音放音孔部１０を経由して遊技機枠１の前側に放音するようにしたものが知られている。しかしながら、中高音スピーカから効果音と台詞とを放音する構成であるので、音量を大きくすることに伴う高調波歪の増加、効果音と台詞とが同じ場所から発せられることによる両者の識別度の低下、効果音と台詞との音量を別々に調整不可能、台詞が効果音にかき消される、混変調歪の増大などによって、台詞が聞き取りにくいという欠点がある。
【特許文献１】特開２００２−２２４３０８号公報
【発明の開示】
【発明が解決しようとする課題】
【０００３】
発明が解決しようとする問題点は、台詞が聞き取りにくいという点である。
【課題を解決するための手段】
【０００４】
本発明に係る遊技音響装置は、遊技機枠の前部に中高音放音孔部および台詞放音孔部を設け、中高音放音孔部から遊技機枠の前方に中高音を放出する中高音スピーカおよび台詞放音孔部から遊技機枠の前方に台詞を放出する台詞スピーカを遊技機枠に設け、中高音スピーカおよび台詞スピーカを制御する音制御装置には中高音スピーカの信号路と台詞スピーカの信号路とが独立して構成されるか、または、遊技機枠の前部には窓と窓を後側から塞ぐパネル構造体と左右一対の中高音放音孔部と左右一対の中高音スピーカと台詞放音孔部と低音放音孔部とが設けられ、左右一対の中高音スピーカから放出された中高音が左右一対の中高音放音孔部を個別に経由して遊技機枠の前方に放出され、台詞放音孔部が左右一対の中高音放音孔部の間に配置され、台詞スピーカから放出された台詞が遊技機枠の前方に放出し、パネル構造体が前パネルと後パネルとフレームとで囲まれた閉鎖空間を形成し、フレームには閉鎖空間に連なる筒状のスピーカ設置部と閉鎖空間に連なる音出口部とが設けられ、低音スピーカが振動板を前方に向けてスピーカ設置部に取り付けられ、低音スピーカの振動板から前方に放射された低音がスピーカ設置部から閉鎖空間と音出口部および低音放音孔部を経由して遊技機枠の前側に放出され、音制御装置には、中高音スピーカの信号路と台詞スピーカの信号路とが独立して構成され、かつ、前パネルと後パネルとの共振によって発生する音圧のピークを低減若しくは遮断するローパスフィルタと、前パネルと後パネルとの共振によって発生する音圧のディップを上昇するようにローパスフィルタからの出力信号の電圧レベルを上昇して低音スピーカに供給するレベル調整器とが設けられたことを最も主要な特徴とする。
【発明の効果】
【０００５】
本発明に係る遊技音響装置は、中高音スピーカの信号路と台詞スピーカの信号路とが独立して構成されたことから、効果音と台詞との発生場所が異なり、効果音と台詞とが互いに別々の方向から遊技者の耳に届くため、遊技者が効果音と台詞とを識別しやすくなるうえ、効果音に対する音量の調整と台詞に対する音量の調整とが別々に行えるので、中高音スピーカから放音される効果音と台詞スピーカから放音される台詞とが互いに聞き取りやすいという利点がある。また、ローパスフィルタが前パネルと後パネルとの共振によって発生する音圧のピークを低減若しくは遮断し、レベル調整器が前パネルと後パネルとの共振によって発生する音圧のディップを上昇するようにローパスフィルタからの出力信号の電圧レベルを上昇して低音スピーカに供給すれば、音響特性上のピークとディップとを補正し良好な低音が得られるという利点がある。
【発明を実施するための最良の形態】
【０００６】
図１乃至図３は、発明を実施するための最良の形態である。図１は、遊技音響装置を備えたパチンコ遊技機を示す。図２は、パネル構造体１３を分解して示す。図３は、パチンコ遊技機の遊技音響装置周りの縦に切断した断面を示す。本明細書において、「前」、「後」、「左」、「右」、「上」、「下」の方向は、図１の状態に遊技機枠１を置いて図１の紙面の前側から見た場合に特定される方向である。
【０００７】
図１を参照し、遊技音響装置を備えた遊技機としてパチンコ遊技機を例示して説明する。パチンコ遊技機は、遊技機枠１の内部に遊技盤３９を交換可能に格納した形態である。遊技機枠１は、固定枠２の前に可動枠３を開閉可能に備え、可動枠３の前に上扉４および下扉５を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、遊技盤３９や図外の制御装置など遊技に必要な部品を取り付ける前枠とも呼ばれる。可動枠３は、左側に位置する図外のヒンジを中心とし、固定枠２の前で前側に開かれかつ後側に閉じられるように、片開き可能であって、遊技盤３９を装着するための盤設置構造体の前面に発射機構６を備える。発射機構６は、下扉５が閉じられて可動枠３に開閉不能に支持された場合、下扉５で覆い隠される。
【０００８】
上扉４および下扉５は、遊技機枠１の前部における前扉を構成するものであって、個別に、左側に位置する図外のヒンジを中心とし、可動枠３の前で前側に開かれかつ後側に閉じられるように、片開き可能である。上扉４は、パネル枠とも呼ばれ、前後方向に貫通する窓７を囲む額縁形状である。上扉４の前部には、中高音放音孔部８、台詞放音孔部９、低音放音孔部１０が設けられる。中高音放音孔部８は、上扉４の上部で、窓７を境として左右に分かれて配置される。台詞放音孔部９は、上扉４の上部で、中高音放音孔部８の左右の間の中央に配置される。低音放音孔部１０は、バスレフダクトを構成し、上扉４の下部で、窓７よりも左側に配置される。
【０００９】
上扉４の後部には、中高音スピーカ１１、台詞スピーカ１２、パネル構造体１３が設けられる。中高音スピーカ１１は、中高音放音孔部８の後に対応し上扉４に取り付けられる。台詞スピーカ１２は、台詞放音孔部９の後に対応し上扉４に取り付けられる。パネル構造体１３は、窓７を後側から塞ぐように、上扉４に取り付けられる。パネル構造体１３には、低音スピーカ１４が設けられる。低音スピーカ１４がパネル構造体１３に設けられる構造は、図６で後述する。下扉５は、皿構造体とも呼ばれる。下扉５の前部には、受皿１５および発射操作機構１６が設けられる。
【００１０】
音制御装置１７は、電力供給を受けて起動した後に図外の主制御装置から遊技音響に関する信号を入力されるのに伴い、中高音スピーカ１１、台詞スピーカ１２、低音スピーカ１４を制御するものであって、データＲＯＭ１８と音源ＩＣ１９とを備え、とりわけ、中高音スピーカ１１および低音スピーカ１４の信号路（チャンネル）に対し、台詞スピーカ１２の信号路が独立して構成される。
【００１１】
データＲＯＭ１８は、左音データ２０、右音データ２１、台詞データ２２を備える。左音データ２０は、左の中高音スピーカ１１から放音される効果音を作成するものであって、例えば、ピアノやベースなど楽器ごとに別々のエリアに格納される。右音データ２１は、右の中高音スピーカ１１から放音される効果音を作成するものであって、例えば、ドラムやトランペットなど楽器ごとに別々のエリアに格納される。台詞データ２２は、左の中高音スピーカ１１から放音される効果音に対する台詞や右の中高音スピーカ１１から放音される効果音に対する台詞ごとに別々のエリアに格納される。
【００１２】
音源ＩＣ１９は、左レジスタ／バッファ２３、右レジスタ／バッファ２４、台詞レジスタ／バッファ２５、左Ｄ／Ａコンバータ２６、右Ｄ／Ａコンバータ２７、台詞Ｄ／Ａコンバータ２８、左音量調整器２９、右音量調整器３０、台詞音量調整器３１を備える。左音量調整器２９の出力側には、左パワーアンプ３２が接続される。左パワーアンプ３２の出力側には、左の中高音スピーカ１１が接続される。右音量調整器３０の出力側には、右パワーアンプ３３が接続される。右パワーアンプ３３の出力側には、右の中高音スピーカ１１が接続される。台詞音量調整器３１の出力側には、台詞パワーアンプ３４が接続される。台詞パワーアンプ３４の出力側には、台詞スピーカ１２が接続される。左音量調整器２９の出力側および右音量調整器３０の出力側には、加算回路３５が接続される。加算回路３５の出力側には、ローパスフィルタ３６が接続される。ローパスフィルタ３６の出力側には、電圧増幅器であるレベル調整器３７が接続される。レベル調整器３７の出力側には、低音パワーアンプ３８が接続される。低音パワーアンプ３８の出力側には、低音スピーカ１４が接続される。
【００１３】
左レジスタ／バッファ２３と左Ｄ／Ａコンバータ２６と左音量調整器２９および左パワーアンプ３２が、左の中高音スピーカ１１の信号路を構成する。右レジスタ／バッファ２４と右Ｄ／Ａコンバータ２７と右音量調整器３０および右パワーアンプ３３が、右の中高音スピーカ１１の信号路を構成する。台詞レジスタ／バッファ２５と台詞Ｄ／Ａコンバータ２８と台詞音量調整器３１および台詞パワーアンプ３４が台詞スピーカ１２の信号路を構成する。加算回路３５とローパスフィルタ３６とレベル調整器３７および低音パワーアンプ３８が低音スピーカ１４の信号路を構成する。
【００１４】
そして、音制御装置１７が電力供給を受けて起動した後に、図外の主制御装置から遊技音響に関する信号を入力されるのに伴い、音制御装置１７が中高音スピーカ１１、台詞スピーカ１２、低音スピーカ１４を制御する。その場合、データＲＯＭ１８から抽出された左音データ２０が左の中高音スピーカ１１の信号路を経由して左の中高音スピーカ１１に供給され、データＲＯＭ１８から抽出された右音データ２１が右の中高音スピーカ１１の信号路を経由して右の中高音スピーカ１１に供給され、データＲＯＭ１８から抽出された台詞データ２２が台詞スピーカ１２の信号路を経由して台詞スピーカ１２に供給される。
【００１５】
つまり、左右の中高音スピーカ１１の信号路と台詞スピーカ１２の信号路とが互いに独立して構成されているので、効果音と台詞との発生場所が異なり、効果音と台詞とが互いに別々の方向から遊技者の耳に届くため、遊技者が効果音と台詞とを識別しやすくなるうえ、効果音に対する音量の調整と台詞に対する音量の調整とが別々に行えるので、中高音スピーカから放音される効果音と台詞スピーカから放音される台詞とが互いに聞き取りやすいという利点がある。効果音に対する音量の調整と台詞に対する音量の調整とによって高調波歪が低減できるようになったので、中高音スピーカ１１から放音される効果音と台詞スピーカ１２から放音される台詞とが互いに聞き取りやすいという利点がある。
【００１６】
左音データ２０が、複数の楽器ごとに設けられた場合、左レジスタ／バッファ２３が複数の楽器ごとに対応して別々に設けられ、これら複数の左レジスタ／バッファ２３からの出力を図外の加算器で加算した後、左Ｄ／Ａコンバータ２６に出力すればよい。右音データ２１が、複数の楽器ごとに設けられた場合、右レジスタ／バッファ２４が複数の楽器ごとに対応して別々に設けられ、これら複数の右レジスタ／バッファ２４からの出力を図外の加算器で加算した後、右Ｄ／Ａコンバータ２７に出力すればよい。台詞データ２２が、複数の台詞ごとに設けられた場合、台詞レジスタ／バッファ２５が複数の台詞ごとに対応して別々に設けられ、これら複数の台詞レジスタ／バッファ２５からの出力を図外の加算器で加算した後、台詞Ｄ／Ａコンバータ２８に出力すればよい。
【００１７】
図示は省略するが、音源ＩＣ１９にバンドパスフィルタを設け、台詞データ２２を次のように処理してもよい。バンドパスフィルタは、ハイパスフィルタとローパスフィルタとを組み合わせることによって構成される。ハイパスフィルタとしては、例えば、減衰特性≒−１２ｄＢ／ｏｃｔ、カットオフ周波数（Ｆｃ）≒７００Ｈｚの特性を有するものを使用する。ローパスフィルタとしては、例えば、減衰特性＝−１２ｄＢ／ｏｃｔ、カットオフ周波数≒５ｋＨｚの特性を有するものを使用する。これによって、データＲＯＭ１８から抽出された台詞データ２２のうち台詞Ｄ／Ａコンバータ２８で変換された人の肉声帯域である約７００Ｈｚ乃至約５ｋＨｚのみのアナログ信号を台詞スピーカ１２に供給することができ、台詞が一層聞き取りやすくなるという利点がある。また、バンドパスフィルタを音源ＩＣ１９に設けることなく、バンドパスフィルタ処理を行った台詞データを台詞データ２２として設けてもよい。
【００１８】
加算回路３５は、右音量調整器２９および左音量調整器３０からの出力を加算してモノラル信号を生成し、そのモノラル信号をローパスフィルタ３６に出力する。ローパスフィルタ３６は、前パネル４２と後パネル４３との共振によって発生する２５０Ｈｚ近辺の音圧のピークをフィルタによって低減してレベル調整器３７に出力する。レベル調整器３７は、信号全体のレベルを上昇させ、前パネル４２と後パネル４３との共振によって発生する１００Ｈｚ付近の音圧のディップを補正して低音パワーアンプ３８を経由させて低音スピーカ１４に供給する。低音スピーカ１４から前方に放出された低音は、パネル構造体１３における図３に示す前パネル４２と後パネル４３およびフレーム４１で囲まれた閉鎖空間Ｄから低音放音孔部１０を経由して上扉４の下部から前方に放出される。ローパスフィルタ３６として、例えば、減衰特性≒−４０ｄＢ／ｏｃｔ、カットオフ周波数≒２００Ｈｚの特性を有するものを使用し、レベル調整器３７でローパスフィルタ３６からの出力の電圧レベルを上昇させて１００Ｈｚ付近の音圧のディップを補正するので、パネル構造体１３の閉鎖空間Ｄをエンクロージャとして用いたサブウーハーとした良好な音響特性を持つ遊技音響装置を構成することができ、音響特性上のピークを回避することができるという利点がある。
【００１９】
一方、低音スピーカ１４をサブウーハーと使用する場合、音源ＩＣ１９から出力された低音信号を低音スピーカ１４に供給する経路に、不要な高音を遮断もしくは低減するためのローパスフィルタが用いられるのが一般的である。これに対し、最良の形態は、前パネル４２と後パネル４３との共振によって発生する音圧のピークを遮断もしくは低減するためのローパスフィルタ３６を用いている。このため、ローパスフィルタ３６を使用することによって、上記一般的なローパスフィルタを除去することができるという利点がある。
【００２０】
遊技盤３９の左上隅部には、スピーカ逃避部４０が設けられる。遊技盤３９が可動枠３の盤設置構造体に装着され、上扉４が閉じられた場合、低音スピーカ１４の後部が遊技盤３９の前側からスピーカ逃避部４０を経由して遊技盤３９の後側に突出する。図１における結合子Ａは、互いに接続される。
【００２１】
図１に示すように、遊技機枠１を正面である前側から見た場合、中高音放音孔部８が上扉４の上部に配置されているので、中高音スピーカ１１からの中高音が遊技者の耳に近くから伝わり、低音放音孔部１０が上扉４の下部に配置されているので、低音スピーカ１４からの低音が遊技者の耳に安定感のある音として伝わるという利点がある。つまり、中高音放音孔部８と低音放音孔部１０とが音響工学的に良好な場所に設けられたという利点がある。
【００２２】
図２を参照し、パネル構造体１３の構造について説明する。パネル構造体１３は、フレーム４１に、前パネル４２と後パネル４３と低音スピーカ１４およびスピーカ後カバー４４を取り付けることによって、構成される。フレーム４１は、前パネル４２および後パネル４３よりも大形な外形を有する板状に構成される。フレーム４１には、透視開口部４５、前パネル収容部４６、後パネル収容部４７、スピーカ設置部４８、スピーカ前カバー４９、前開口５０、パネル支持体５１、フレーム音出口５２が設けられる。透視開口部４５は、窓７（図１参照）よりも大きな相似形で、前後方向への貫通孔を構成する。前パネル収容部４６は、前パネル４２の周縁部を収容する窪みとして、透視開口部４５の前部とスピーカ設置部４８の前部とに設けられる。
【００２３】
スピーカ設置部４８は、透視開口部４５の左上部よりも外側に位置し、前パネル収容部４６の内外に跨り、前後方向に貫通する筒状に構成される。スピーカ前カバー４９は、前パネル収容部４６よりも外側におけるスピーカ設置部４８の前部を塞ぐ板状に構成される。前開口５０は、スピーカ設置部４８のスピーカ前カバー４９や前パネル収容部４６で覆われていない部分である。パネル支持体５１は、前開口５０の近くにおける後パネル収容部４７の前面、フレーム音出口５２の近くにおける前パネル収容部４６の後面に設けられる。後パネル収容部４７の前面に設けられたパネル支持体５１は、前パネル４２を受け止める突起を構成する。前パネル収容部４６の後面に設けられたパネル支持体５１は、後パネル４３を受け止める突起を構成する。フレーム音出口５２は、前パネル収容部４６の左下部よりも外側に位置し、前後方向への貫通孔を構成する。
【００２４】
前パネル４２は、無色透明なガラス板により構成される。前パネル４２には、張出部５３が左上部に設けられる。前パネル４２の周縁部が前パネル収容部４６に収容されて図外の接着剤で固定され、前パネル４２がフレーム４１に取り付けられた場合、仮想線Ｌ１で囲まれた部分が透視開口部４５の前部を塞ぎ、張出部５３が前開口５０の前部を塞ぐ。
【００２５】
後パネル４３は、無色透明なガラス板により構成される。後パネル４３には、張出部５４が左下部に設けられる。後パネル４３の周縁部が後パネル収容部４７に収容されて図外の接着剤で固定され、後パネル４３がフレーム４１に取り付けられた場合、仮想線Ｌ２で囲まれた部分が透視開口部４５の後部を塞ぎ、張出部５４が、フレーム音出口５２の後部を塞ぐ。
【００２６】
低音スピーカ１４は、前方に開口した円錐形状の振動板５５の後部に音響変換部５６を備え、振動板５５の前縁部から外側にフランジ５７を突出し、フランジ５７に複数のねじ挿入孔５８を備え、音響変換部５６が音響変換部５６から外側に突出した被覆電線からなる引出線５９から入力された音電流を機械的な振動に変換して振動板５５に伝達し、振動板５５が伝達された振動を低音波として拡大して放出する。引出線５９にはコネクタ６０が設けられる。
【００２７】
低音スピーカ１４がフレーム４１に取り付けられる場合、振動板５５の前開口が前方に向けられるように、低音スピーカ１４がフレーム４１の後方からスピーカ設置部４８に配置されることによって、振動板５５および音響変換部５６がスピーカ設置部４８に接触せず、フランジ５７の前面がスピーカ設置部４８の後面に接触する。そして、タッピングスクリューのような止ねじ６１が低音スピーカ１４の後からねじ挿入孔５８を経由してスピーカ設置部４８に締結される。これによって、低音スピーカ１４が、スピーカ設置部４８から後方に突出するように、スピーカ設置部４８に取り付けられる。
【００２８】
スピーカ後カバー４４は、前方に開口した箱形である。スピーカ後カバー４４の前開口５０の周縁部には、取付部としてのねじ挿入孔６２が設けられる。スピーカ後カバー４４の後壁には、多数の貫通孔からなる放音孔６３が設けられる。スピーカ後カバー４４が被せられる場合、コネクタ６０がスピーカ後カバー４４の前から放音孔６３を構成する１つの貫通孔に挿入されてスピーカ後カバー４４の後に引き出されることによって、引出線５９がスピーカ後カバー４４の後壁に貫通させられる。そして、スピーカ後カバー４４が低音スピーカ１４の後から低音スピーカ１４に被せられ、スピーカ後カバー４４の前開口５０の周縁部がスピーカ設置部４８の後部に接触され、タッピングスクリューのような止ねじ６４がスピーカ後カバー４４の後からねじ挿入孔６２を経由してスピーカ設置部４８に締結される。これによって、スピーカ後カバー４４がスピーカ設置部４８に取り付けられる。コネクタ６０が図１の低音パワーアンプ３８に接続されることによって、低音スピーカ１４が図１の音制御装置１７で制御される。
【００２９】
図３において、遊技盤３９の前面と後パネル４３との間におけるガイドレール６５で囲まれた空間が球Ｐの飛び交う遊技領域６６である。パネル構造体１３のフレーム４１と前パネル４２および後パネル４３で囲まれた閉鎖空間Ｄは、低音スピーカ１４から放出された低音を低音放音孔部１０に誘導する空気の振動による音の矢印Ｘ１で示す伝達路を形成する。低音スピーカ１４の振動板５５から前側に放出された音は、空気の振動による音の矢印Ｘ１で示す伝達路により、低音放音孔部１０から上扉４の前側に放出される。低音スピーカ１４の振動板５５から後側に放出された音は、空気の振動による音の矢印Ｘ２で示す伝達路により、スピーカ後カバー４４の内部と放音孔６３および遊技盤３９のスピーカ逃避部４０を経由して遊技盤３９の裏側に放出される。
【００３０】
低音放音孔部１０が空気の流れによるヘルムホルツ共振現象を発生するように、低音放音孔部１０の断面積と長さとが設定されているので、低音の固有の共振周波数が強調され、閉鎖空間Ｄで構成されたエンクロージャに対し低音放音孔部１０がバスレフダクトの役目を果たす。低音放音孔部１０の断面積は、低音放音孔部１０における音の矢印Ｘ１で示す伝達路と直交する方向の通路断面である。低音放音孔部１０の長さは、低音放音孔部１０における音の矢印Ｘ１で示す伝達路方向の長さである。中高音スピーカ１１から前側に放出された音は、空気の振動による音の矢印Ｘ３で示す伝達路により、中高音放音孔部８を経由して上扉４の斜め下方前側に向けて放出される。ガイドレール６５は、遊技盤３９または上扉４またはパネル構造体１３に取り付けられる。
【００３１】
中高音スピーカ１１が上扉４に取り付けられ、低音スピーカ１４がスピーカ設置部４８に取り付けられ、低音スピーカ１４の前面が前パネル４２の張出部５３で覆われたことによって、中高音スピーカ１１の中高音と低音スピーカ１４の低音とが干渉しない構造であり、中高音スピーカ１１と低音スピーカ１４が前後方向に重ねられて配置されているので、中高音スピーカ１１と低音スピーカ１４とが正面から見た場合の狭い場所に設けられるという利点がある。
【００３２】
パネル構造体１３の後側に配置されるように遊技機枠１に取り付けられる遊技盤３９には、低音スピーカ１４を逃げるためのスピーカ逃避部４０が設けられているので、低音スピーカ１４がパネル構造体１３から後側に突出しても、遊技領域６６の前後方向の隙間を球の通過し得る寸法に適切に確保することができるという利点がある。
【００３３】
低音スピーカ１４を後側から被覆するスピーカ後カバー４４がスピーカ設置部４８に設けられているので、低音スピーカ１４の後側に放出された音が遊技機枠１の前側に回り込むことなく、遊技機枠１の後側に適切に導かれ、低音スピーカ１４の後側に放出される低音が上扉４の前側に放出される低音と打ち消しあうように干渉する不都合はないという利点がある。
【産業上の利用可能性】
【００３４】
図１において、低音スピーカ１４が前後方向に重ねられて配置される場所は、遊技機枠１の左上部に限定されるものではない。また、低音放音孔部１０は、上扉４の下部で、窓７よりも右側に配置されてもよく、また、複数でもよい。上扉４および下扉５は、単一体として構成されてもよい。
【００３５】
図４に示すように、低音スピーカ１４を設けてもよい。つまり、図４のａ図では、低音放音孔部１０が上扉４の下部で窓７よりも左右に分かれて設けられ、低音スピーカ１４が左右の低音放音孔部１０の後に個別に対応し上扉４に取り付けられる。図４のｂ図では、低音放音孔部１０が固定枠２の下部で左右に分かれて設けられ、低音スピーカ１４が左右の低音放音孔部１０の後に個別に対応し固定枠２に取り付けられる。図４のｃ図では、中高音放音孔部８が上扉４の上下部で窓７を境として左右に分かれて設けられ、中高音スピーカ１１が中高音放音孔部８の後に対応し上扉４に取り付けられ、低音放音孔部１０が固定枠２の下部で左右に分かれて配置され、低音スピーカ１４が左右の低音放音孔部１０の後に個別に対応し固定枠２に取り付けられる。
【００３６】
図５は、異なる形態に係る音制御装置１７を示す。図５では、図１の音源ＩＣ１９に相当する音源ＩＣ６７が用いられる。音源ＩＣ６７は、加算回路３５とサブウーファー用の一般的なローパスフィルタ６８とを備えた点で、音源ＩＣ１９と異なる。ローパスフィルタ６８の出力側には、ローパスフィルタ３６に相当するローパスフィルタ６９が接続される。ローパスフィルタ６９は、高音信号を減衰もしくは遮断させて低音信号のみを生成する機能を持たず、図５の前パネル４２と後パネル４３との共振によって発生する音圧の２００Ｈｚ近辺のピークを遮断もしくは低減する機能を有する点で、ローパスフィルタ３６と異なる。
【図面の簡単な説明】
【００３７】
【図１】遊技音響装置を備えたパチンコ遊技機の模式図（最良の形態）。
【図２】パネル構造体の分解斜視図（最良の形態）。
【図３】パチンコ遊技機の遊技音響装置周りの縦断面図（最良の形態）。
【図４】遊技音響装置を備えたパチンコ遊技機の正面図（異なる形態）。
【図５】音制御装置１７の構成図（異なる形態）。
【図６】遊技音響装置を備えたパチンコ遊技機の正面図（従来）。
【符号の説明】
【００３８】
１は遊技機枠、２は固定枠、３は可動枠、４は上扉、５は下扉、６は発射機構、７は窓、８は中高音放音孔部、９は台詞放音孔部、１０は低音放音孔部、１１は中高音スピーカ、１２は台詞スピーカ、１３はパネル構造体、１４は低音スピーカ、１５は受皿、１６は発射操作機構、１７は音制御装置、１８はデータＲＯＭ、１９は音源ＩＣ、２０は左音データ、２１は右音データ、２２は台詞データ、２３は左レジスタ／バッファ、２４は右レジスタ／バッファ、２５は台詞レジスタ／バッファ、２６は左Ｄ／Ａコンバータ、２７は右Ｄ／Ａコンバータ、２８は台詞Ｄ／Ａコンバータ、２９は左音量調整器、３０は右音量調整器、３１は台詞音量調整器、３２は左パワーアンプ、３３は右パワーアンプ、３４は台詞パワーアンプ、３５は加算回路、３６はローパスフィルタ、３７はレベル調整器、３８は低音パワーアンプ、３９は遊技盤、４０はスピーカ逃避部、４１はフレーム、４２は前パネル、４３は後パネル、４４はスピーカ後カバー、４５は透視開口部、４６は前パネル収容部、４７は後パネル収容部、４８はスピーカ設置部、４９はスピーカ前カバー、５０は前開口、５１はパネル支持体、５２はフレーム音出口、５３は張出部、５４は張出部、５５は振動板、５６は音響変換部、５７はフランジ、５８はねじ挿入孔、５９は引出線、６０はコネクタ、６１は止ねじ、６２はねじ挿入孔、６３は放音孔、６４は止ねじ、６５はガイドレール、６６は遊技領域、６７は音源ＩＣ、６８はローパスフィルタ、６９はローパスフィルタ、Ａは結合子、Ｄは閉鎖空間。
【図１】
2008237837.tif 000003
【図２】
2008237837.tif 000004
【図３】
2008237837.tif 000005
【図４】
2008237837.tif 000006
【図５】
2008237837.tif 000007
【図６】
2008237837.tif 000008